(57)【要約】  【課題】  複数のベンダー毎にホームページの構成が異なっており、インターネットの加入者は、異なるベンダーから情報を入手するためには、各ベンダー毎に異なる操作をしなければ、所望の監視映像を入手することができないため、簡単で、容易に、利用者に易しい情報伝送システムの実現が望まれている。  【解決手段】  記憶部を有する複数のベンダー装置と、上記ベンダー装置と伝送路を介して接続される情報端末装置からなり、上記複数のベンダー装置の各々の記憶装置に共通の形式で定められたホームページを記憶し、上記情報端末装置は、記憶部を有し、上記情報端末装置の記憶部に上記複数のベンダー装置と選択的に接続するための接続情報テーブルを具え、上記情報端末装置は、上記接続情報テーブルに基いて所定の上記ベンダー装置と接続し、上記ベンダー装置の上記記憶部から上記共通の形式で定められたホームページを取得するように構成される。【選択図】  図１
2006260162.tif 000002
【特許請求の範囲】
【請求項１】
記憶部を有する複数のベンダー装置と、上記ベンダー装置と伝送路を介して接続される情報端末装置からなり、上記複数のベンダー装置の各々の記憶装置に共通の形式で定められたホームページを記憶し、上記情報端末装置は、記憶部を有し、上記情報端末装置の記憶部に上記複数のベンダー装置と選択的に接続するための接続情報テーブルを具え、上記情報端末装置は、上記接続情報テーブルに基いて所定の上記ベンダー装置と接続し、上記ベンダー装置の上記記憶部から上記共通の形式で定められたホームページを取得することを特徴とする情報伝送システム。
【請求項２】
請求項１記載の情報伝送システムにおいて、上記複数のベンダー装置の各々の記憶装置に記憶された共通の形式で定められたホームページは、上記複数のベンダー装置でそれぞれ所有される異なる情報と、上記複数のベンダー装置に共通のアイコンとで構成したことを特徴とする画像伝送システム。
【請求項３】
請求項２記載の情報伝送システムにおいて、上記情報端末装置は、表示部を有し、上記表示部は、上記接続情報テーブルを表示することを特徴とする情報伝送システム。
【発明の詳細な説明】
【技術分野】
【０００１】
本発明は、情報伝送システムに関し、特に、インターネット技術を利用して利用者が簡単な操作で情報を取得できる情報伝送システムに関するものである。
【背景技術】
【０００２】
インターネット技術の発達により複数のベンダーが所有している各種の情報、例えば、画像情報、イベント情報、ニュース、ドラマ等の情報を情報端末装置から簡単に入手することが可能になってきている。具体的な事例として監視カメラ映像の入手について説明すると、例えば、ホテルやビル、コンビニエンスストアや金融機関あるいはダムや道路といった公共施設には、犯罪抑止や事故防止等の目的で映像監視システムが設置されている。これら映像監視システムは、監視対象をカメラ等の撮像装置で撮影し、その映像を管理事務所や警備室等の監視センタに伝送し、監視者がそれを監視し、目的や必要に応じて、注意や警告をしたり、あるいは映像を記録し、保存するものである。
【０００３】
近年、こうした映像監視システムの分野において、監視カメラ映像をディジタル化し、インターネットに代表されるＩＰネットワークを介して映像を伝送し監視を行うネットワーク型映像監視システムの普及が進みつつある。
【０００４】
現在、主流となっているネットワーク型映像監視システムは、監視カメラに接続された映像伝送装置から映像受信装置にネットワークを介してライブ映像を配信するものである。配信された映像は、例えば、監視センタに常駐する監視者（または操作者とも言う。）が常時この映像を視聴し、問題発生時には状況に応じた対応をすることのできる監視システムとなっている。
【０００５】
一方、映像監視には、上述のようなライブ映像監視を主体とする「ライブ型監視」の他に監視映像を記録・保存し、問題発生時に時間を遡って記録映像を見るといった監視形態もあり、金融機関や商店を中心にこうした「記録型監視」の顧客ニーズが存在する。
【０００６】
而して、こうした映像監視システムのように専用の映像監視システムでは、映像の送信側と受信側でそれぞれ前もって送受信する情報の内容を定め、その内容に従ってシステム設計をしておけば、その映像監視システムを動作させることで、定められた情報、例えば、監視映像が送信側から送られ、受信側では、送られた監視映像をモニタ等の表示装置で見ることができる。しかしながらインターネットに代表されるＩＰネットワークを介して映像を伝送する画像伝送システムでは、複数のベンダーが所有する（または取得する）情報、例えば、画像情報は、異なっている。そして、それぞれのベンダーがこれらの情報を用いて個々にホームページ（各々のベンダーの専用の表示ページ）を作成しており、インターネットの加入者は、所有する情報端末からこのホームページをアクセスすることで、個々のベンダーが所有する画像情報等を入手することが可能となる。
【０００７】
この場合、個々のベンダーが所有する、例えば、ホームページの表示方式は、異なるのが普通である。例えば、あるベンダーのネットワーク映像伝送装置の映像を表示装置で表示する場合、ＩＰ（Internet Protocol）アドレスやＵＲＬを入力し映像表示用画面を呼び出す必要がある。また、ベンダーによっては識別番号、型式、装置固有の情報などを設定する必要がある。更に、呼び出し方もベンダーにより異なっており、複数のベンダーの伝送装置が組み込まれているシステムでは、画面表示するベンダーにあわせ操作を変える必要がある。以下これについて図６、図７、図８を用いて説明する。
【０００８】
図６は、Ａ社（A Company）の監視映像を入手する場合の一例を示す図である。なお、図６は、例えば、インターネットの加入者が所有する情報端末装置のモニタ上に表示される画面を示したものである。図６において、例えば、Ａ社のＵＲＬを入力して監視映像を入手した場合、図６（Ａ）に示すようなＷＥＢ  ＥＮＣＯＤＥＲ  ＰＴ−ＩＰ１５０Ｔの表示画面６０１が表示される。そして、この表示画面６０１には、複数のアイコン、即ち、ライブアイコン６０２、カメラ選択アイコン６０３、蓄積画像アイコン６０４、設定アイコン６０５およびヘルプアイコン６０６が表示される。そして、インターネットの加入者は、この表示画面６０１を見て、監視映像を見たい場合には、ライブアイコン６０２をマウス等でクリックすると、図６（Ｂ）に示すような監視映像画面６１０が入手できる。この監視映像画面６１０には、やはりＳＭＡＬＬアイコン６１１、ＬＡＲＧＥアイコン６１２およびカメラ制御アイコン６１３が表示され、これらアイコンをマウス等でクリックすることで監視画像６１４の拡大、縮小、あるいはカメラの撮像方向やズーム倍率等の変更ができるようになされている。
【０００９】
図７は、Ｂ社（B Company）の監視映像を入手する場合の一例を示す図である。なお、図７も、図６と同様にインターネットの加入者が所有する情報端末装置のモニタ上に表示される画面を示したものである。図７において、例えば、Ｂ社のＵＲＬを入力して監視映像を入手した場合、図７（Ａ）に示すようなＮｅｔｗｏｒｋ  Ｃａｍｅｒａ  ＡＢＣ−ＰＩの表示画面７０１が表示される。そして、この表示画面７０１には、Ｅｎｔｅｒアイコン７０２とＳｅｔｔｉｎｇアイコン７０３が表示されている。そして、インターネットの加入者は、この表示画面７０１を見て、監視映像を見たい場合には、Ｅｎｔｅｒアイコン７０２をマウス等でクリックすると、図７（Ｂ）に示すような監視映像画面７１０が入手できる。この監視映像画面７１０には、監視画像７１１、表示サイズアイコン７１２、静止画取込アイコン７１３、通信方式切替７１４、音声ＯＮ／ＯＦＦアイコン７１５および音声ボリュームアイコン７１６が表示されている。従って、これらアイコン７１２〜７１６を必要に応じてマウス等でクリックすることで監視画像７１１の拡大、縮小、静止画の取込み等をすることができるようになっている。
【００１０】
図８は、Ｃ社の監視映像を入手する場合の一例を示す図である。なお、図８も、図６と同様にインターネットの加入者が所有する情報端末装置のモニタ上に表示される画面を示したものである。図８において、例えば、Ｃ社のＵＲＬを入力して監視映像を入手した場合、図８に示すようなＣ社Ｎｅｔｗｏｒｋ  Ｃａｍｅｒａの表示画面８０１が表示される。そして、この表示画面８０１には、監視画像８０２、サイズ変更アイコン８０３、ライブアイコン８０４、セットアップアイコン８０５、ヘルプアイコン８０６および静止画取り込アイコン８０７が表示されている。そして、インターネットの加入者は、この表示画面８０１を見て、監視画像８０２のサイズを変更したい場合には、サイズ変更アイコン８０３をクリックし、監視画像８０２の拡大、縮小ができる等の動作が可能である。
【００１１】
以上、インターネットの加入者が所有する情報端末から複数のベンダーのホームページをアクセスすることで、個々のベンダーが所有する画像情報等を入手する方法についてその一例を説明したが、例えば、インターネットの加入者が所有する情報端末から複数のベンダーの監視映像を入手する場合、図６に示すＡ社のホームページでは、ライブアイコン６０２をマウス等でクリックしないと、監視映像が入手できない。また、図７に示すＢ社のホームページでは、Ｅｎｔｅｒアイコン７０２をマウス等でクリックしないと、監視映像が入手できない。図８に示すＣ社の場合には、Ｃ社のホームページで監視画像を見ることができるというように、複数のベンダー毎にホームページの構成が異なっており、インターネットの加入者は、異なるベンダーから、例えば、監視画像を入手するためには、各ベンダー毎に異なる操作をしなければ、所望の監視映像を入手することができないと言う問題がある。また、インターネットの加入者がホームページのアクセス等に慣れている場合は、アクセスも容易であるが、不慣れな場合には、操作ができず、所望の情報を入手できず、従って、簡単で、容易に、そして、利用者に易しい情報伝送システムの実現が望まれている。
【００１２】
【特許文献１】特に、発見されていない。
【発明の開示】
【発明が解決しようとする課題】
【００１３】
以上詳述したように複数のベンダー毎にホームページの構成が異なっており、インターネットの加入者は、異なるベンダーから異なる情報を入手するためには、各ベンダー毎に異なる操作をしなければ、所望の情報を入手することができない。また、ホームページのアクセス等に不慣れな場合には、操作ができず、所望の情報を入手できず、簡単で、容易に、そして、利用者に易しい情報伝送システムの実現が望まれている。
【００１４】
本発明の目的は、情報を容易に入手でき、利用者に易しい情報伝送システムを提供することである。
【００１５】
本発明の他の目的は、呼び出し方法を統一し、共通の操作で情報を入手できる情報伝送システムを提供することである。
【課題を解決するための手段】
【００１６】
本発明の情報伝送システムは、記憶部を有する複数のベンダー装置と、上記ベンダー装置と伝送路を介して接続される情報端末装置からなり、上記複数のベンダー装置の各々の記憶装置に共通の形式で定められたホームページを記憶し、上記情報端末装置は、記憶部を有し、上記情報端末装置の記憶部に上記複数のベンダー装置と選択的に接続するための接続情報テーブルを具え、上記情報端末装置は、上記接続情報テーブルに基いて所定の上記ベンダー装置と接続し、上記ベンダー装置の上記記憶部から上記共通の形式で定められたホームページを取得するように構成される。
【００１７】
また、本発明の情報伝送システムにおいて、上記複数のベンダー装置の各々の記憶装置に記憶された共通の形式で定められたホームページは、上記複数のベンダー装置で異なる情報と、上記複数のベンダー装置に共通のアイコンとで構成される。
【００１８】
また、本発明の情報伝送システムにおいて、上記情報端末装置は、表示部を有し、上記表示部は、上記接続情報テーブルを表示するように構成される。
【００１９】
また、本発明の情報伝送システムにおいて、上記情報端末装置は、表示部を有し、上記表示部に上記複数のベンダー装置の各々の記憶装置に記憶された共通の形式で定められたホームページを適宜切替えて表示するように構成される。
【００２０】
また、本発明の情報伝送システムにおいて、上記接続情報テーブルに上記複数のベンダー装置の各々のホームページのアドレスを登録するように構成される。
【発明の効果】
【００２１】
以上説明したように、本発明によれば、複数のベンダーが所有する情報の呼び出し方法を統一し、共通の操作で情報が入手できるので、インターネット等の利用者に易しい情報伝送システムを実現できる、また、利用者に対する操作性が向上する等の特徴があり、効果大である。
【発明を実施するための最良の形態】
【００２２】
以下本発明について図面を用いて説明する。図１は、本発明の一実施例の概略構成を示すブロック図である。なお、図１では、説明を簡単にするために監視映像を取得するための情報伝送システムについて説明するが、これに限定されるものではなく、一般的に監視映像以外の情報、例えば、映像データ、音声データ、テレメータ情報等の様々なデータの取得を目的とする情報伝送システムにも適応できることは言うまでもない。図１において、１０１−１、１０１−２、・・・１０１−Ｎは、ベンダー伝送装置を示す。なお、ベンダー伝送装置は、例えば、インターネット上で、ＩＰアドレスあるいはＵＲＬを設定し、インターネット加入者がアクセスできるプロバイダ、企業、個人、組織、グループ等が所有するサーバ装置である。以下の説明では、これらを総称してベンダー装置１０１と称する。１０２−１、１０２−２、・・・１０２−Ｎは、ベンダー装置１０１が具えている記憶部であり、半導体記憶装置、ＤＶＤ（Digital Versatile Disc）、光磁気デスク、ＨＤＤ（ハードデスク）、磁気テープ等が使用できる。また、この記憶部１０２は、ベンダー装置１０１に内蔵することも、あるいは、外部に置くこともできる。
【００２３】
１０３−ａ、・・・１０３−ｄは、カメラ装置を示し、ベンダー装置１０１−１に接続されている。１０３−ｅ、・・・は、ベンダー装置１０１−２に接続されるカメラ装置を、また、１０３−ｍ、・・・は、ベンダー装置１０１−Ｎに接続されるカメラ装置を示している。１０４は、例えば、インターネットのような伝送路である。１０５−１、・・１０５−Ｌは、情報端末装置であり、利用者が必要な情報を各ベンダー装置１０１から取得するための情報端末装置である。なお、情報端末装置１０５−１、・・１０５−Ｌを総称する場合は、情報端末装置１０５と称する。情報端末装置１０５は、処理装置１０６、記憶部１０７、表示部１０８および操作部１０９で構成されている。以下、図１に示す実施例の動作を説明する。
【００２４】
まず、ベンダー装置１０１−１は、各カメラ装置１０３−ａ、・・１０３−ｄで撮影した監視映像を記憶部１０２−１に記憶する。この監視映像の記憶は、従来と同様に、時分割方式で記憶することも、また、デジタル信号に変換し、圧縮、符号化して記憶することもできる。なお、デジタル信号に変換し、圧縮、符号化して記憶する場合、カメラ装置１０３−ａ、・・１０３−ｄからの映像信号をＷｅｂ−encoder（図示せず。）でデジタル信号に変換し、圧縮、符号化してベンダー装置１０１−１の記憶部１０２−１に記憶される。このＷｅｂ−encoderは、従来周知のものであるので、詳細な説明は省略する。同様に、カメラ装置１０３−ｅ、・・・で撮影された映像は、記憶部１０２−２に記憶され、カメラ装置１０３−ｍ、・・・で撮影された映像は、記憶部１０２−Ｎに記憶される。
【００２５】
そして、利用者が情報端末装置１０５、例えば、１０５−１を用いてベンダー装置１０１をアクセスし、所望の監視画像を入手する場合、利用者は、情報端末装置１０５−１の操作部１０９を操作してベンダー装置１０１の、例えば、ホームページを呼出し、必要な映像を取得するが、これについて詳細に説明する。まず、情報端末装置１０５−１の記憶部１０７には、表１に示すテーブルが記憶されている。この表１に示すテーブルは、情報端末装置１０５から所望のベンダー装置１０１をアクセスするためのＵＲＬ、ＩＰアドレス、ポート番号、識別番号（ＩＤ）、型式、装置固有の情報等が含まれる接続情報テーブルである。
【００２６】
【表１】
2006260162.tif 000003
表１において、例えば、ベンダー装置１（１０１−１）は、ＵＲＬ（Uniform Resource Locator：インターネット上の情報にアクセスするためのもの）：Ａ（通常、http://www.・・・で表記されている。）、ＩＰ（Internet Protocol）アドレス：１９２．１６８．１．１００、ポート番号：８０、識別番号（ＩＤ）：４、ホームページ：Ｈａが登録されている。同様に、ベンダー装置２（１０１−２）は、ＵＲＬ：Ｂ、ＩＰアドレス：１９２．１６８．１．１５０、ポート番号：１００、識別番号（ＩＤ）：５、ホームページ：Ｈｂが登録されている。以下同様である。
【００２７】
而して、情報端末装置１０５−１の利用者が必要なベンダー装置１０１をアクセスする場合、まず、利用者は、操作部１０９を操作して記憶部１０７から表１に示す接続情報テーブルを読出し、表示部１０８に表示する。表示した状態を図２に示す。図２において、２０１は、表示部１０８の表示画面、２０２は、表示画面２０１に表示された表１に示す接続情報テーブル、２０３は、ベンダー装置選択ボタンである。情報端末装置１０５−１の利用者は、この接続情報テーブル２０２を見て、希望するベンダー装置１０１をベンダー装置選択ボタン２０３を操作して選択する。例えば、ベンダー装置１０１−１を選択する場合には、接続情報テーブル２０２のベンダー１を選択する。なお、ベンダー装置１０１−１を選択する場合、ベンダー装置選択ボタン２０３を選択する代わりにマウス等でベンダー１を選択し、マウスをクリックすることでも選択できる。接続情報テーブル２０２のベンダー１が選択されると、処理装置１０６は、この接続情報テーブル２０２の接続情報、即ち、ＵＲＬ、ＩＰアドレス、ポート番号、識別番号（ＩＤ）を読取り、伝送路１０４を介してベンダー装置１０１−１に接続し、処理装置１０６からのコマンドをベンダー装置１０１−１に送る。処理装置１０６からのコマンドを受信したベンダー装置１０１−１は、例えば、記憶装置１０２−１からホームページを読出し、このホームページを情報端末装置１０５−１の処理装置１０６に送る。
【００２８】
ここで、ベンダー装置１０１のホームページについて図３および図４を用いて説明する。図３は、例えば、各ベンダー装置１０１で作成されているホームページの一実施例を示している。即ち、図３（Ａ）は、図６で示すＡ社のホームページを変更したホームページを示す。同様に図３（Ｂ）は、図７で示すＢ社のホームページを変更したホームページを示す。図３（Ｃ）は、図８で示すＣ社のホームページを変更したホームページを示す。これらホームページのＵＲＬについて、図４を用いて説明する。通常、インターネット等で各種データを送信する送信情報は、ＨＴＭＬ（Hyper Text Markup Language）、ＪＡＶＡ（登録商標）Script、ＶＢScript等の言語で記述されることが知られている。そして、これら送信情報から各ベンダー装置１０１毎に特有のホームページが構成される。即ち、各ベンダー装置１０１では、先に説明したように、例えば、Ａ社の場合は、図６に示すようなホームページとなり、Ｂ社の場合は、図７に示すようなホームページ、Ｃ社の場合は、図８に示すようなホームページとなり、それぞれ異なったホームページが作られる。従って、利用者にとっては極めて取扱に不便なものとなっている。
【００２９】
本発明では、これらホームページの構成を統一したものである。即ち、例えば、図４に示すＨＴＭＬ言語の送信情報から作成するホームページとして、図３に示すようなホームページを作成する。即ち、図３（Ａ）は、Ａ社のホームページ、図３（Ｂ）は、Ｂ社のホームページ、図３（Ｃ）は、Ｃ社のホームページというように構成する。図３において、３０１−１は、Ａ社のホームページの表示画面、３０１−２は、Ｂ社のホームページの表示画面、３０１−３は、Ｃ社のホームページの表示画面を示す。３０２−１、３０２−２、３０２−３は、画面のTITLE、３０３−１、３０３−２、３０３−３は、それぞれＡ社、Ｂ社、Ｃ社が所有する情報で作成されたホームページの画像の一実施例を示している。３０４−１、３０４−２、３０４−３は、ライブアイコン、３０５−１、３０５−２、３０５−３は、静止画アイコン、３０６−１、３０６−２、３０６−３は、カメラ制御アイコンを示す。このように各ベンダー装置１０１で少なくともアイコンを共通化したホームページを作成し、各ベンダー装置１０１の記憶部１０２に記憶しておく。なお、ライブアイコン３０４とは、例えば、カメラ装置１０３−ａが現在撮像している画面を表示するためのアイコンであり、静止画アイコン３０５とは、例えば、カメラ装置１０３−ａで撮像した静止画を表示するアイコン、そして、カメラ制御アイコン３０６とは、このアイコンを操作すると、例えば、カメラ装置１０３−ａの撮像範囲が変わる（パン、チルトを変化させる。）とか、カメラのズーム倍率が変わる等の制御ができるアイコンである。そして、このようにして作成されたホームページは、例えば、表１に示す接続情報テーブルのホームページにＨａ、Ｈｂ、Ｈｄ、・・・Ｈｃとして登録することもできる。このように表１に示す接続情報テーブルに登録すると、図２で説明したように接続情報テーブル２０２のホームページアドレスを指定すると直ちに指定したホームページを表示することができる。なお、共通のアイコンは、ここに示されたアイコンに限定されるものではなく、画像伝送システムの機能、利用者のニーズ等に応じて適宜設定されることは言うまでもない。
【００３０】
ここで、情報端末装置１０５−１の動作説明にもどる。先に説明したように、情報端末装置１０５−１からベンダー装置１０１−１にホームページを送信するコマンドを送られたベンダー装置１０１−１は、記憶部１０２−１に記憶している図３（Ａ）に示すホームページを情報端末装置１０５−１の処理装置１０６に送信する。処理装置１０６は、送られたホームページを表示部１０８に表示する。図５（Ａ）は、表示部１０８に表示されたベンダー装置１０１−１のホームページを表示した画面を示している。図５（Ａ）において、５０１は、表示部１０８の表示画面、５０２−１、５０２−２、・・・５０２−Ｎは、各ベンダー装置１０１を選択するためのボタンである。５０３は、自動切替ボタン、５０４は、多画面表示を行うためのボタンを示す。なお、図３と同じものには同じ符号が付されている。
【００３１】
さて、先に説明したように利用者が最初に図２に示す接続情報テーブル２０２を表示させ、ベンダー装置接続ボタン２０３でベンダー１（１０１−１）を選択すると、表示部１０８に図５（Ａ）（図３（Ａ）に示すものと同じ。）に示すようなＡ社が所有するベンダー装置１０１−１のホームページが表示される。同時に、ライブアイコン３０４−１、静止画アイコン３０５−１、カメラ制御アイコン３０６−１も表示される。従って、情報端末装置１０５−１の利用者は、この表示画面５０１を見ながらライブアイコン３０４−１、静止画アイコン３０５−１、カメラ制御アイコン３０６−１を操作すれば、容易に動画像、静止画像を取得したり、あるいはカメラ装置の動作を制御することができる。
【００３２】
同様に、利用者がベンダー装置接続ボタン２０３でベンダー２（１０１−２）を選択すると、表示部１０８に図３（Ｂ）に示すようなＢ社が所有するベンダー装置１０１−２のホームページが表示される。また、利用者がベンダー装置接続ボタン２０３でベンダー３（１０１−３）を選択すると、表示部１０８に図３（Ｃ）に示すようなＣ社が所有するベンダー装置１０１−３のホームページが表示される。そして、図３の各図から明らかなように各ホームページは、少なくとも共通のアイコン機能を備えたホームページが表示されるので、利用者は、共通の操作で情報を入手したり、また、画面操作ができるので、インターネット等の利用者に易しい画像伝送システムが実現でき、利用者に対する操作性が極めて向上する。
【００３３】
また、自動切替ボタン５０３を押下すると、処理装置１０６は、表１に示す接続情報テーブルを参照し、ベンダー装置１から順番にＮまで、各ベンダー装置１０１のホームページの画面切替えを動作で行うことができる。また、多画面表示を行うためのボタン５０４を押下すると、図５（Ｂ）に示すようにマルチ画面の表示ができる。図５（Ｂ）において、５０６は、マルチ画面を示し、他の符号は、図５（Ａ）の符号に対応する。マルチ画面５０６は、例えば、画面５０６−１、５０６−２、５０６−３、５０６−４の４つの画面で構成され、それぞれ、例えば、ベンダー装置１０１−１、１０１−２、１０１−３、１０１−４の４台のベンダー装置１０１を表示するものである。このようにマルチ画面を容易に表示することもできる。
【００３４】
以上、本発明について詳細に説明したが、本発明は、ここに記載された画像伝送システムの実施例に限定されるものではなく、上記以外の画像伝送システムに広く適応することが出来ることは、言うまでも無い。
【図面の簡単な説明】
【００３５】
【図１】本発明の一実施例の概略構成のブロック図を示す。
【図２】本発明の動作を説明するための接続情報テーブルを示す図である。
【図３】本発明の一実施例のホームページを説明するための図である。
【図４】本発明で使用するＨＴＭＬを示す図である。
【図５】本発明の表示画面を示す図である。
【図６】従来のホームページの一例を示す図である。
【図７】従来の他のホームページの一例を示す図である。
【図８】従来の更に他のホームページの一例を示す図である。
【符号の説明】
【００３６】
１０１：ベンダー伝送装置、１０２、１０７：記憶部、１０３：カメラ装置、１０４：伝送路、１０５：情報端末装置、１０６：処理装置、１０８：表示部、１０９：操作部、２０１、３０１、５０１、６０１、６１０、７０１、７１０、８０１：表示画面、２０２：接続情報テーブル、２０３、５０２：ベンダー装置選択ボタン、３０２：ＴＩＴＬＥ、３０３、６１４、７１１、８０２：ホームページの画像、３０４、６０２、８０４：ライブアイコン、３０５：静止画アイコン、３０６、６１３：カメラ制御アイコン、５０３：自動切替ボタン、４０４：多画面表示ボタン、６０３：カメラ選択アイコン、６０４：蓄積画像アイコン、６０５：設定アイコン、６０６、８０６：ヘルプアイコン、６１１：ＳＭＡＬＬアイコン、６１２：ＬＡＲＧＥアイコン、７０２：Ｅｎｔｅｒアイコン、７０３：Ｓｅｔｔｉｎｇアイコン、７１２：表示サイズアイコン、７１３、８０７：静止画取込アイコン、７１４：通信方式切替アイコン、７１５：音声ＯＮ／ＯＦＦアイコン、７１６：音声ボリュームアイコン、８０３：サイズ変更アイコン、８０５：セットアップアイコン。
【図１】
2006260162.tif 000004
【図２】
2006260162.tif 000005
【図３】
2006260162.tif 000006
【図４】
2006260162.tif 000007
【図５】
2006260162.tif 000008
【図６】
2006260162.tif 000009
【図７】
2006260162.tif 000010
【図８】
2006260162.tif 000011